(57)【要約】  長尺な外形を持つものであっても、製造に大きな金型が不要で、かつ、製造時の切断面が鋭利な状態で残ってしまうことを抑制可能な家庭用電気製品の筐体を提供する。このため、家庭用電気製品の筐体において、押出成形により製造され、側面に開口（２１１）が形成され、軸線方向に直交する任意の箇所の断面の形状が同一である第１の部材（２１０）と、射出成形により製造され、第１の部材（２１０）の前記軸線方向の一端に固着され、一部が開口（２１１）の一端側の縁部となる第２の部材（２２０）と、射出成形により製造され、第１の部材（２１０）の前記軸線方向の他端に固着され、一部が開口（２１１）の他端側の縁部となる第３の部材（２３０）と、を備える。
2016114071.tif 000002
【特許請求の範囲】
【請求項１】
押出成形により製造され、側面に開口が形成され、軸線方向に直交する任意の箇所の断面の形状が同一である第１の部材と、
射出成形により製造され、前記第１の部材の前記軸線方向の一端に固着され、一部が前記開口の一端側の縁部となる第２の部材と、
射出成形により製造され、前記第１の部材の前記軸線方向の他端に固着され、一部が前記開口の他端側の縁部となる第３の部材と、を備えた家庭用電気製品の筐体。
【請求項２】
前記第２の部材は、前記第１の部材の前記軸線方向の一端面を全て覆い、
前記第３の部材は、前記第１の部材の前記軸線方向の他端面を全て覆う請求項１に記載の家庭用電気製品の筐体。
【請求項３】
前記第１の部材は、側面に開口が形成され、内部に前記開口に通じる第１の空間及び仕切り壁により前記第１の空間から仕切られた第２の空間が形成された請求項１又は請求項２に記載の家庭用電気製品の筐体。
【請求項４】
前記第２の部材に設けられ、ネジ穴が形成されたネジボスと、
前記ネジボスを介して前記第２の部材に固定されることにより、前記第１の部材の前記軸線方向の他端側に取り付けられる土台部と、を備えた請求項１から請求項３のいずれか一項に記載の家庭用電気製品の筐体。
【請求項５】
前記第１の部材と前記第２の部材、及び、前記第１の部材と前記第３の部材は、それぞれが超音波溶着により固着される請求項１から請求項４のいずれか一項に記載の家庭用電気製品の筐体。
【請求項６】
前記第１の部材の外周面に設けられたシート状部材を備え、
前記第１の部材の前記軸線方向に直交する投影面上において、前記第２の部材及び前記第３の部材の外形は、少なくとも前記シート状部材の厚み分だけ前記第１の部材の外形よりも大きい請求項１から請求項５のいずれか一項に記載の家庭用電気製品の筐体。
【発明の詳細な説明】
【技術分野】
【０００１】
この発明は、家庭用電気製品の筐体に関するものである。
【背景技術】
【０００２】
家庭用電気製品には、上下に長い縦型の筐体を持つものがある。従来において縦型の筐体を持つ家庭用電気製品として、例えば、筒状の送風部を有する本体と、この本体を支持する台座部とを有するタワー型の扇風機が知られている（例えば、特許文献１参照）。
【先行技術文献】
【特許文献】
【０００３】
【特許文献１】日本特開２０１４−２１１１１５号公報
【発明の概要】
【発明が解決しようとする課題】
【０００４】
特許文献１に示されるような従来における家庭用電気製品（タワー型の扇風機）の筐体は、プラスチック等を用いた樹脂成形品を用いることが一般的である。樹脂成形により特に縦長の筐体を製造する場合、射出成形では金型が大きくなってしまい製造費用が嵩んでしまう。一方、押出成形品は、両端部が刃物により切断されて製造されるため、両端面が切断面となり、いわゆるバリが出てしまう等の鋭利な箇所が残った状態となってしまう可能性がある。【０００５】
この発明は、このような課題を解決するためになされたもので、縦長等の長尺な外形を持つものであっても、製造に大きな金型を必要とすることなく製造費用を低く抑えることが可能であって、かつ、製造時の切断面が鋭利な状態で残ってしまうことを抑制することができる家庭用電気製品の筐体を得るものである。
【課題を解決するための手段】
【０００６】
この発明に係る家庭用電気製品の筐体においては、押出成形により製造され、側面に開口が形成され、軸線方向に直交する任意の箇所の断面の形状が同一である第１の部材と、射出成形により製造され、前記第１の部材の前記軸線方向の一端に固着され、一部が前記開口の一端側の縁部となる第２の部材と、射出成形により製造され、前記第１の部材の前記軸線方向の他端に固着され、一部が前記開口の他端側の縁部となる第３の部材と、を備えた構成とする。
【発明の効果】
【０００７】
この発明に係る家庭用電気製品の筐体においては、縦長等の長尺な外形を持つものであっても、製造に大きな金型を必要とすることなく製造費用を低く抑えることが可能であって、かつ、製造時の切断面が鋭利な状態で残ってしまうことを抑制することができるという効果を奏する。
【図面の簡単な説明】
【０００８】
【図１】この発明の実施の形態１に係る家庭用電気製品の筐体を備えた空気清浄機の斜視図である。
【図２】この発明の実施の形態１に係る家庭用電気製品の筐体を備えた空気清浄機のダクト部の斜視図である。
【図３】図２のダクト部をより詳細に示す斜視図である。
【図４】図２のダクト部を他の方向から見た斜視図である。
【図５】図２のダクト部が備える第１の部材の横断面図である。
【発明を実施するための形態】
【０００９】
この発明を添付の図面を参照しながら説明する。各図を通じて同符号は同一部分又は相当部分を示している。同符号の部分についての重複説明は適宜に簡略化あるいは省略する。
【００１０】
実施の形態１．
図１から図５は、この発明の実施の形態１に係るもので、図１は家庭用電気製品の筐体を備えた空気清浄機の斜視図、図２は家庭用電気製品の筐体を備えた空気清浄機のダクト部の斜視図、図３は図２のダクト部をより詳細に示す斜視図、図４は図２のダクト部を他の方向から見た斜視図、図５は図２のダクト部が備える第１の部材の横断面図である。
【００１１】
この発明に係る家庭用電気製品の筐体が適用される家庭用電気製品として、ここでは、空気清浄機１を例に挙げて説明する。ただし、この発明が適用される家庭用電気製品は空気清浄機に限られない。なお、この発明の適用対象としては、特に上下に長い縦型の外形を持つ家庭用電気製品が好適である。
【００１２】
図１に示すように、この発明の実施の形態１に係る家庭用電気製品の筐体が適用される空気清浄機１は、土台部１００、ダクト部２００及びキャップ部３００を備えている。土台部１００は、略直方体状を呈する。土台部１００の上面には、ダクト部２００が取り付けられている。ダクト部２００は中空筒状を呈する。ここでは、ダクト部２００は、中空な略円筒状である。なお、ダクト部２００の形状はこれに限られず、例えば中空の角柱状等でもよい。
【００１３】
ダクト部２００は、土台部１００の上面から上方に向けて立つように設けられている。すなわち、ダクト部２００の長手方向は、土台部１００の上面に対し垂直に立てられている。ダクト部２００の上端には、キャップ部３００が取り付けられている。ダクト部２００の側面には、開口である吸込口（図示せず）が形成されている。吸込口は、ダクト部２００の背面側に長手方向にわたって配置されている。吸込口には、例えば、格子状の枠体にメッシュ状のプレフィルタが設けられた吸込口カバーが取り付けられている。
【００１４】
また、ダクト部２００の内部には、空気清浄手段であるフィルタ（図示せず）が取り付けられている。このフィルタは、例えばＨＥＰＡ（Ｈｉｇｈ  Ｅｆｆｉｃｉｅｎｃｙ  Ｐａｒｔｉｃｕｌａｔｅ  Ａｉｒ）フィルタである。土台部１００の一側面には、図示しない吹出口が形成されている。そして、土台部１００の内部には、図示しない送風ファン等が収容されている。
【００１５】
図２から図４を参照しながら、ダクト部２００の構成についてさらに説明する。まず、図２に示すように、ダクト部２００は、第１の部材２１０、第２の部材２２０及び第３の部材２３０から構成されている。第１の部材２１０は、押出成形により製造された例えばプラスチック樹脂からなる。第２の部材２２０及び第３の部材２３０は、それぞれ、射出成形により製造された例えば同じくプラスチック樹脂からなる。
【００１６】
図３に示すように、第１の部材２１０の側面には、前記吸込口となる開口２１１が形成されている。開口２１１は、第１の部材２１０の長手の全長にわたって形成されている。なお、第１の部材２１０の長手方向は、前記押出成形の押し出し方向である。以降においては、この押出成形の押し出し方向（ここでは、長手方向と同じ方向）のことを、「軸線方向」という。したがって、開口２１１について言い直せば、開口２１１は、第１の部材２１０の軸線方向の全長にわたって形成されている。
【００１７】
第２の部材２２０は、第１の部材２１０の前記軸線方向の一端に固着されている。第２の部材２２０は、第１の部材２１０の前記軸線方向の一端面の全てを覆っている。第２の部材２２０の一部は、開口２１１の一端側の縁部になっている。
【００１８】
また、第３の部材２３０は、第１の部材２１０の前記軸線方向の他端に固着されている。第３の部材２３０は、第１の部材２１０の前記軸線方向の他端面の全てを覆っている。第３の部材２３０の一部は、開口２１１の他端側の縁部になっている。なお、ここでいう第１の部材２１０の端面（一端面及び他端面）とは、第１の部材２１０を構成するプラスチック樹脂の実体部分を指し、空間部分は含まない。
【００１９】
第２の部材２２０は、第１の部材２１０の一端面に超音波溶着により固着される。また、同様に、第３の部材２３０は、第１の部材２１０の他端面に超音波溶着により固着される。例えば接着剤を用いた場合には余分な接着剤が表面に出て意匠に悪影響を及ぼす可能性があるところ、このように各部材の固着に超音波溶着を用いることにより、そのような意匠上の悪影響を確実に避けることができる。
【００２０】
図３及び図４に示すように、第２の部材２２０には、ネジボス２２１が設けられている。ネジボス２２１は、ここでは、２箇所に設けられている。それぞれのネジボス２２１には、前記軸線方向の外側に向けてあけられたネジ穴が形成されている。そして、土台部１００は、これらのネジボス２２１を介して第３の部材２３０に固定されることにより、第１の部材２１０の前記軸線方向の他端側に取り付けられている。
【００２１】
すなわち、土台部１００の各ネジボス２２１に対向する位置にもネジ穴が貫通して設けられている。そして、土台部１００側のネジ穴を通されたネジを第２の部材２２０側のネジボス２２１のネジ穴に入れてネジを締めることで、土台部１００が第２の部材２２０に取り付けられる。こうして空気清浄機１の土台部１００とダクト部２００とが接続される。
【００２２】
なお、前述したようにダクト部２００は中空であり、ダクト部２００の内部には空間が形成されている。この空間に対応して第１の部材２１０及び第２の部材２２０にも、内側に空間が形成されているが、主に強度を確保して形状を保つために、第２の部材２２０には複数のリム２２２が設けられている。
【００２３】
図５は、第１の部材２１０の前記軸線方向に直交する断面の形状を示すものである。ここで、第１の部材２１０は、前述したように押出成形により製造されており、前記軸線方向に直交する任意の箇所の断面の形状が同一である。すなわち、第１の部材２１０の前記軸線方向の任意の箇所で直交するいずれの断面形状も、この図５に示す形状である。
【００２４】
前述したように、第１の部材２１０の側面には、開口２１１が形成されている。ここでは第１の部材２１０は略円筒状であるため、断面の外形はこの開口２１１部分が欠けた略円弧状である。開口２１１は、この略円弧状の中心から見て角度αの範囲に形成されている。
【００２５】
第１の部材２１０の内部には、第１の空間２１２が形成されている。この第１の空間２１２は開口２１１に通じている。第１の空間２１２は、開口２１１すなわち前記吸込口に通じる通風路となる。また、第１の部材２１０の内部には、さらに第２の空間２１３が形成されている。この第２の空間２１３は、仕切り壁２１４により第１の空間２１２から仕切られている。したがって、第２の空間２１３は、開口２１１に通じていない。
【００２６】
前述したように、第１の部材２１０を備えたダクト部２００の下端には土台部１００が設けられ、上端にはキャップ部３００が設けられる。すなわち、土台部１００とキャップ部３００との間には、内部に第１の空間２１２及び第２の空間２１３が形成された第１の部材２１０が配置されている。ここで、土台部１００に設けられた電気部品とキャップ部３００に設けられた電気部品との間を電気的に接続する必要がある場合、これらの電気部品を接続する電気配線は、第１の空間２１２内ではなく、第２の空間２１３内を通すようにするとよい。
【００２７】
このようにすることで、開口２１１と通じており通風路になる第１の空間２１２内に電気配線を配置することなく、第１の部材２１０内に前記軸線方向にわたって電気配線を設けることができる。通風路になる第１の空間２１２内に電気配線を配置した場合には、第１の空間２１２内に発生する空気流により電気配線が動き、振動、騒音又は圧損等が発生するおそれがある。第１の空間２１２とは仕切られた第２の空間２１３を設け、この第２の空間２１３内に電気配線を配置することにより、このような振動、騒音又は圧損等の発生を回避することができる。
【００２８】
また、第１の空間２１２と第２の空間２１３とを仕切る仕切り壁２１４を設けることで、第１の部材２１０の前記軸線方向に直交する断面における実体部分（樹脂部分）の断面積を増加させることができる。このため、第１の部材２１０の断面二次モーメントを増加して強度を増加させることも可能である。さらに、第１の部材２１０の前記軸線方向の両端部における実体部分（樹脂部分）の断面積を増加させることができるため、第１の部材２１０と第２の部材２２０又は第３の部材２３０との接着面積又は溶着面積を増加させ、接合強度を増すことにも寄与する。
【００２９】
なお、主に意匠上の観点から、第１の部材２１０の外周面にシート状部材を設けるようにしてもよい。この場合、第１の部材２１０の前記軸線方向に直交する投影面上において、第２の部材２２０及び第３の部材２３０の外形を、少なくとも前記シート状部材の厚み分だけ第１の部材２１０の外形よりも大きくすることが望ましい。
【００３０】
このようにすることで、特に、第１の部材２１０と、第２の部材２２０又は第３の部材２３０との接合部分において、前記シート状部材の端部が第２の部材２２０又は第３の部材２３０よりも外方に出ることがない。よって、前記シート状部材の端部が第１の部材２１０の表面から剥れてめくれ上がることを防止することができ、外観上の見た目が悪くなることを避けることが可能である。
【００３１】
以上のように構成された家庭用電気製品の筐体は、押出成形により製造され、側面に開口２１１が形成され、軸線方向に直交する任意の箇所の断面の形状が同一である第１の部材２１０と、射出成形により製造され、第１の部材２１０の前記軸線方向の一端に固着され、一部が開口２１１の一端側の縁部となる第２の部材２２０と、射出成形により製造され、第１の部材２１０の前記軸線方向の他端に固着され、一部が開口２１１の他端側の縁部となる第３の部材２３０と、を備えたものである。
【００３２】
このため、縦長等の長尺な外形を持つものであっても、長尺な部分を押出成形により製造することで、製造に大きな金型を必要とすることなく製造費用を低く抑えることが可能である。しかも、製造時の押出成形による切断面となる両端に、射出成形で製造した部材を固着することにより、押出成形による切断面が鋭利な状態で残ってしまい外部に露出することを抑制することができる。
【００３３】
また、押出成形品は必然的に一定の断面形状となるため、筐体の側面に開口を設ける場合に後から別途開口を形成する必要があるところ、上記の構成によれば、後から別途開口を形成することなく、筐体の側面に開口を容易に設けることができる。
【００３４】
さらに、第２の部材２２０は、第１の部材２１０の前記軸線方向の一端面を全て覆い、第３の部材２３０は、第１の部材の前記軸線方向の他端面を全て覆うようにすることで、押出成形による切断面を全て射出成形品で覆い、切断面が外部に露出することを完全に防止することができる。
【００３５】
加えて、第２の部材２２０にネジ穴が形成されたネジボス２２１を設け、このネジボス２２１を介して第２の部材２２０に固定することにより、第１の部材２１０の前記軸線方向の他端側に土台部１００を取り付けるようにすることで、筐体の筒状縦長な部分（第１の部材２１０）を支える土台部１００を当該部分（第１の部材２１０）に直接に取り付ける場合と比較して、容易に当該部分（第１の部材２１０）の一端側に土台部１００を取り付けることができ、組立性を良好なものにすることが可能である。
【産業上の利用可能性】
【００３６】
この発明は、例えば縦長等の長尺な外形を持つ家庭用電気製品の筐体に利用できる。
【符号の説明】
【００３７】
１  空気清浄機、  １００  土台部、  ２００  ダクト部、  ２１０  第１の部材、  ２１１  開口、  ２１２  第１の空間、  ２１３  第２の空間、  ２１４  仕切り壁、  ２２０  第２の部材、  ２２１  ネジボス、  ２２２  リム、  ２３０  第３の部材、  ３００  キャップ部
【図１】
2016114071.tif 000003
【図２】
2016114071.tif 000004
【図３】
2016114071.tif 000005
【図４】
2016114071.tif 000006
【図５】
2016114071.tif 000007
【国際調査報告】
2016114071.tif 000008
2016114071.tif 000009
2016114071.tif 000010
2016114071.tif 000011